(57)【特許請求の範囲】
【請求項１】
前端に挿入口を有し且つ前記挿入口から後端に向けて挿入された接続対象物と接続するコネクタであって、前記接続対象物は、板状又はシート状のものであり且つ接触部及び被係止部を有している、コネクタにおいて、
接点部を有するコンタクトと、
該コンタクトを保持するハウジングと、
閉位置と開位置との間で回動可能となるように前記ハウジングに支持されたアクチュエータであって、前記開位置から前記閉位置に向けて前記アクチュエータを回動させる回動操作に応じて前記コンタクトの前記接点部を前記接続対象物の前記接触部に接続させるアクチュエータとを備えており、
前記アクチュエータは、係止部と当接部とを備えており、
前記当接部は、前記アクチュエータが前記閉位置にあるとき前記係止部よりも後方に位置し且つ少なくとも前記係止部が前記接続対象物の前記被係止部を係止した際には前記接続対象物の主面のうちの上面と当接するように構成されており、
前記アクチュエータは、後方に向けて倒されることにより前記開位置から前記閉位置向けて回動させられるように構成されており、
前記当接部は、前記接続対象物が挿入された状態において前記アクチュエータが前記閉位置にあるとき前記接続対象物の前記上面と当接するように構成されており、
前記係止部は、前記アクチュエータの左右方向両端近傍に設けられており、
前記係止部は、前記アクチュエータが前記開位置にあるとき前記接続対象物の挿入を妨害しないように位置する一方で、前記接続対象物が挿入された状態において前記アクチュエータが前記閉位置にあるとき前記接続対象物の前記被係止部よりも前方に位置していることにより前記接続対象物を前方へ移動させようとしても前記係止部が前記被係止部を係止するように構成されており、
前記接触部は、前記接続対象物の下面に形成されており、
前記コンタクトは、前記接点部を設けられた下顎部と、上顎部と、前記下顎部と前記上顎部とを連結する連結部と、前記連結部を弾性支持すると共に前記ハウジングの保持部に保持された被保持部とを更に有しており、
前記アクチュエータは、前記コンタクトに対応して形成された収容部と、前記収容部内に設けられたリフトアップ部とを更に有しており、
前記リフトアップ部は、前記アクチュエータを前記開位置から前記閉位置に向けて回動させる回動操作に応じて、前記収容部内にて前記コンタクトの前記上顎部をリフトアップし、前記上顎部をリフトアップすることで、前記下顎部に設けられた前記接点部を上方に変位させるように構成されている
コネクタ。
【発明の詳細な説明】
【技術分野】
【０００１】
本発明は、ＦＰＣ（Flexible Printed Circuit）やＦＦＣ（Flexible Flat Cable）のような板状又はシート状の接続対象物と接続するコネクタに関する。
【背景技術】
【０００２】
板状又はシート状の接続対象物の抜け落ちを防止するコネクタとしては、例えば、特許文献１又は特許文献２に開示されたものがある。
【０００３】
特許文献１のコネクタは、突起を有するアクチュエータと、アクチュエータを回動可能に支持すると共にアクチュエータの突起に対応する受穴を有するハウジングとを備えている。コネクタの前端の挿入口からＦＰＣ／ＦＦＣを挿入した状態でアクチュエータを前方に倒すと、突起がＦＰＣ／ＦＦＣの孔を介してハウジングの受穴に挿入される。それにより、ＦＰＣ／ＦＦＣの抜け落ちが防止される。
【０００４】
特許文献２のコネクタは、係止部の設けられたロックアームを有するハウジングと、ロックアームを撓ませるカム部を有し且つハウジングに回動可能に支持されたアクチュエータとを備えている。アクチュエータを開くと、カム部がロックアームを撓ませて、係止部を上方へ変位させる。それにより、ＦＰＣ／ＦＦＣのコネクタへの挿入が可能となる。ＦＰＣ／ＦＦＣがコネクタに挿入された状態において、アクチュエータを倒すと、係止部が所定の位置に戻る。この際、係止部はＦＰＣ／ＦＦＣの係止孔内に位置することとなる。これにより、ＦＰＣ／ＦＦＣの抜け落ちが防止される。
【先行技術文献】
【特許文献】
【０００５】
【特許文献１】特開２００４−７１３１４号公報
【特許文献２】特開２００９−２８３３０９号公報
【発明の概要】
【発明が解決しようとする課題】
【０００６】
しかしながら、特許文献１記載のコネクタでは、ＦＰＣ／ＦＦＣを無理に引き抜こうとした場合やＦＰＣ／ＦＦＣが煽られた場合などにアクチュエータが開いてしまい、ＦＰＣ／ＦＦＣが抜け落ちてしまう恐れがある。このような好ましくない抜け落ちを防止するためには突起を長くしなければならないが、突起が長いとコネクタへのＦＰＣ／ＦＦＣの挿入の妨げになるといった問題がある。
【０００７】
また、特許文献２記載のコネクタは、アクチュエータの操作によりロックアームを撓ませるため、強度的な問題がある。
【０００８】
そこで、本発明は、接続対象物の無理な引き抜きや煽りに強い構造であって強度的にも問題のないコネクタを提供することを目的とする。
【課題を解決するための手段】
【０００９】
本発明によれば、第１のコネクタとして、
前端に挿入口を有し且つ前記挿入口から後端に向けて挿入された接続対象物と接続するコネクタであって、前記接続対象物は、板状又はシート状のものであり且つ接触部及び被係止部を有している、コネクタにおいて、
接点部を有するコンタクトと、
該コンタクトを保持するハウジングと、
閉位置と開位置との間で回動可能となるように前記ハウジングに支持されたアクチュエータであって、前記開位置から前記閉位置に向けて前記アクチュエータを回動させる回動操作に応じて前記コンタクトの前記接点部を前記接続対象物の前記接触部に接続させるアクチュエータとを備えており、
前記アクチュエータは、係止部と当接部とを備えており、
前記当接部は、前記アクチュエータが前記閉位置にあるとき前記係止部よりも後方に位置し且つ少なくとも前記係止部が前記接続対象物の前記被係止部を係止した際には前記接続対象物の主面と当接するように構成されている
コネクタが得られる。
【００１０】
また、本発明によれば、第２のコネクタとして、第１のコネクタであって、
前記当接部は、前記接続対象物が挿入された状態において前記アクチュエータが前記閉位置にあるとき前記接続対象物の前記主面と当接するように構成されている
コネクタが得られる。
【００１１】
また、本発明によれば、第３のコネクタとして、第１又は第２のコネクタであって、
前記ハウジングには軸受部が形成されており、
前記アクチュエータは、前記軸受部に収容される回転軸を有しており、
前記アクチュエータが前記閉位置にあるとき、前記当接部は前記回転軸よりも後方に位置している
コネクタが得られる。
【００１２】
また、本発明によれば、第４のコネクタとして、第３のコネクタであって、
前記係止部は前記回転軸の近傍に位置している
コネクタが得られる。
【００１３】
また、本発明によれば、第５のコネクタとして、第４のコネクタであって、
当該コネクタの左右方向に直交する平面に沿った断面において、前記係止部は、前記アクチュエータが前記閉位置にあるときに前記回転軸よりも後方に位置している
コネクタが得られる。
【００１４】
また、本発明によれば、第６のコネクタとして、第１乃至第５のいずれかのコネクタであって、
前記アクチュエータは、後方に向けて倒されることにより前記開位置から前記閉位置向けて回動させられるように構成されている
コネクタが得られる。
【００１５】
更に、本発明によれば、第７のコネクタとして、第１乃至第６のいずれかのコネクタであって、
前記係止部は、前記アクチュエータの左右方向両端近傍に設けられている
コネクタが得られる。
【００１６】
更に、本発明によれば、第８のコネクタとして、第１乃至第７のいずれかのコネクタであって、
前記係止部は、前記アクチュエータが前記開位置にあるとき前記接続対象物の挿入を妨害しないように位置する一方で、前記接続対象物が挿入された状態において前記アクチュエータが前記閉位置にあるとき前記接続対象物の前記被係止部よりも前方に位置していることにより前記接続対象物を前方へ移動させようとしても前記係止部が前記被係止部を係止するように構成されている
コネクタが得られる。
【発明の効果】
【００１７】
本発明によれば、接続対象物（例えば、ＦＰＣ／ＦＦＣ）を無理に抜去しようとしたり接続対象物を煽られたりしたとしても、アクチュエータに設けられた係止部が接続対象物の被係止部に係止すると共にアクチュエータの当接部が接続対象物の主面に当接するように構成されていることから、係止部の長さを長くすることなく、アクチュエータが誤って開いてしまうことを防止することができる。
【図面の簡単な説明】
【００１８】
【図１】本発明の実施の形態によるコネクタを示す正面斜視図である。ここで、コネクタに含まれているアクチュエータは開位置にある。
【図２】図１のコネクタを示す背面斜視図である。ここで、アクチュエータは開位置にある。
【図３】図２のコネクタをIII--III線に沿って示す断面図である。ここで、アクチュエータは開位置にあり、ＦＰＣ／ＦＦＣは挿入口にまだ挿入されていない。
【図４】図２のコネクタをIV--IV線に沿って示す断面図である。ここで、アクチュエータは開位置にあり、ＦＰＣ／ＦＦＣは挿入口に挿入されている。
【図５】図１のコネクタを示す正面斜視図である。ここで、アクチュエータは閉位置にある。
【図６】図５のコネクタをVI--VI線に沿って示す断面図である。ここで、アクチュエータは閉位置にあり、ＦＰＣ／ＦＦＣは挿入口に挿入されている。
【図７】図５のコネクタをVII--VII線に沿って示す断面図である。ここで、アクチュエータは閉位置にあり、ＦＰＣ／ＦＦＣは挿入口に挿入されている。
【図８】図１のハウジングを示す斜視図である。
【図９】図１のアクチュエータを示す斜視図である。
【図１０】図９のアクチュエータをＸ--Ｘ線に沿って示す断面図である。
【図１１】図１のコネクタと接続可能なＦＰＣ／ＦＦＣを示す底面図である。
【図１２】図１２のＦＰＣ／ＦＦＣの変形例を示す底面図である。
【発明を実施するための形態】
【００１９】
図１乃至図７を参照すると、本発明の実施の形態によるコネクタ１は、回路基板（図示せず）に取り付けられ、ＦＰＣ／ＦＦＣ（接続対象物）５０と接続するものである。ここで、本実施の形態によるコネクタ１と接続可能なＦＰＣ／ＦＦＣ５０は、図３、図４、図６、図７及び図１１に示されるように、２つの主面として上面５０ａ及び下面５０ｂを有しており、下面５０ｂの縁部（Ｘ方向端部，図３の右端）５１近傍には複数の接触部（複数の信号端子）５２が形成されている。また、ＦＰＣ／ＦＦＣ５０の左右方向（Ｙ方向）両端には、Ｙ方向内側に凹んだ凹部５３が形成されている。即ち、凹部５３は、複数の接触部５２をＹ方向から挟むようにして設けられている。この凹部５３の縁部５１側のエッジは、後述するように、被係止部５４として機能する。
【００２０】
再び、図１乃至図７を参照すると、コネクタ１は、前端２と後端３とを有しており、更にＦＰＣ／ＦＦＣ５０を挿入するための挿入口４を前端２に有している。コネクタ１は、この挿入口４から後端３に向かって挿入されたＦＰＣ／ＦＦＣ５０と接続する。以下、かかるコネクタ１の構造及びＦＰＣ／ＦＦＣ５０との接続の仕方について詳述する。
【００２１】
本実施の形態によるコネクタ１は、絶縁性材料からなるハウジング１０と、金属からなる複数のコンタクト２０と、絶縁性材料からなるアクチュエータ３０と、回路基板（図示せず）に接続固定される金属製のホールドダウン４０とを備えている。
【００２２】
図３、図４並びに図６〜図８を参照すると、ハウジング１０の前端１０ａには開口部１１１が形成されている。開口部１１は、Ｘ方向においてハウジング１０を貫通しており、且つ、Ｘ方向に沿ってハウジング１０の前端１０ａを見た場合にＹ方向に細長い形状を有している。本実施の形態による開口部１１は、上述したコネクタ１の挿入口４を規定している。開口部１１（即ち、挿入口４）の底面は、挿入口４を通して挿入されたＦＰＣ／ＦＦＣ５０を受ける受面１２として機能する。図８に最も良く示されているように、受面１２のＹ方向両端近傍には−Ｚ方向（下方）に凹んだ逃げ穴１３が形成されている。ハウジング１０の後端１０ｂには、コンタクト２０を保持する孔である保持部１４が形成されている。これら保持部１４は、受面１２まで達している。更に、受面１２をＹ方向において挟むようにして、軸受部１５が形成されている。軸受部１５は、Ｙ方向外側に向けて凹んだ溝であってＺ方向（上方）に延びる溝である。
【００２３】
図３、図４、図６及び図７を参照すると、各コンタクト２０は、接点部２１を設けられた下顎部２２と、上顎部２３と、下顎部２２と上顎部２３とを連結する連結部２４と、連結部２４を弾性支持すると共に保持部１４に保持された被保持部２５と、被保持部２５から後方下側（Ｘ方向且つ−Ｚ方向）に延びる固定端部２６とを有している。連結部２４は、下顎部２２と上顎部２３とを略音叉状に連結している。固定端部２６は、回路基板（図示せず）上の対応する信号端子（図示せず）に接続固定される。
【００２４】
本実施の形態においては、被保持部２５に連結部２４が弾性支持されていることから、上顎部２３及び下顎部２２は連結部２４の被保持部２５に保持されている部分を中心として回動に類する動きを行うこととなる。そのため、上顎部２３を上方に持ち上げようとすると、下顎部２２も持ち上げられることとなり、接点部２１は、上方に移動する。
【００２５】
アクチュエータ３０は、開位置（図１乃至図４参照）と閉位置（図５乃至図７参照）との間で回動可能となるようにハウジング１０に保持されている。このアクチュエータ３０は、開位置から閉位置に向けて回動させられた際にコンタクト２０の接点部２１をＦＰＣ／ＦＦＣ５０の接触部５２に接続させるためのものである。
【００２６】
本実施の形態によるアクチュエータ３０は、後方（Ｘ方向）に向けて倒されることにより開位置から閉位置向けて回動させられるように構成されている。即ち、本実施の形態によるアクチュエータ３０の開位置から閉位置に向かう回動の方向は、特許文献１のコネクタにおけるアクチュエータの回動の方向とは逆になる。
【００２７】
図９及び図１０を更に参照すると、本実施の形態によるアクチュエータ３０は、左右両端部（Ｙ方向両端部）において外側に突出した回転軸３１と、左右両端近傍に位置する係止部３２及び当接部３３と、コンタクト２０に対応して形成された収容部３４と、収容部３４内に設けられたリフトアップ部３５と、包囲部３６とを備えている。
【００２８】
詳しくは、本実施の形態による回転軸３１は、アクチュエータ３０が閉位置にあるときアクチュエータ３０の最前端に位置しており、回動可能且つ上下方向（Ｚ方向）に移動可能となるようにハウジング１０の軸受部１５に保持されている。
【００２９】
係止部３２は、突起状の形状を有しており、アクチュエータ３０が開位置にあるときには下方（−Ｚ方向）に突出し、アクチュエータ３０の回動に応じて移動する。ハウジング１０に設けられた逃げ穴１３は、係止部３２の移動をスムーズにするためのものであり、それ自体が係止部３２と係止しなければならないわけではないので特許文献１のコネクタのように深くなくともよい。
【００３０】
詳しくは、本実施の形態による係止部３２は、図３及び図４から理解されるように、アクチュエータ３０が開位置にあるときにはＦＰＣ／ＦＦＣ５０の挿入を妨害しないように位置している一方で、図７に示されるように、ＦＰＣ／ＦＦＣ５０が挿入された状態においてアクチュエータ３０が閉位置にあるときにはＦＰＣ／ＦＦＣ５０の被係止部５４よりも前方に位置するように構成されている。即ち、ＦＰＣ／ＦＦＣ５０が挿入された状態においてアクチュエータ３０が閉位置にある場合、本実施の形態による係止部３２は、凹部５３内に位置している。そのため、ＦＰＣ／ＦＦＣ５０が前方へ移動しようとすると（即ち、ＦＰＣ／ＦＦＣ５０を抜去しようとすると）被係止部５４が係止部３２に係止される。
【００３１】
特に、本実施の形態による係止部３２は、回転軸３１の近傍に位置している。そのため、コネクタ１の前後方向（Ｘ方向）におけるサイズを小さくすることができる。また、図７及び図１０から理解されるように、ＸＺ平面に沿った断面において、係止部３２の２／３以上が、アクチュエータ３０が閉位置にあるときに回転軸３１の中心３１ｃよりも後方に位置している。このように構成すると、アクチュエータ３０が開位置にあるときに、ＦＰＣ／ＦＦＣ５０の挿入口４への挿入の妨げとなる確率を低くすることができる。かかる効果を考慮すれば明らかなように、係止部３２は、その殆どが（更に好ましくは全体が）アクチュエータ３０が閉位置にあるときに回転軸３１の中心３１ｃよりも後方に位置していることが好ましい。
【００３２】
図７及び図１０を参照すると、当接部３３は、アクチュエータ３０が閉位置にあるとき、ＹＸ平面と平行な面を有しており、係止部３２よりも後方（Ｘ方向）に位置している。特に、本実施の形態においては、当接部３３は、アクチュエータ３０が閉位置にあるとき、回転軸３１よりも後方に位置している。この当接部３３は、ＦＰＣ／ＦＦＣ５０を無理に抜去しようとするなどして少なくとも係止部３２がＦＰＣ／ＦＦＣ５０の被係止部５４を係止した際にはＦＰＣ／ＦＦＣ５０の上面５０ａに当接するように構成されている。このため、被係止部５４から係止部３２に対して係止部３２を−Ｘ方向（前方）に押すような力が加えられると、当接部３３がＦＰＣ／ＦＦＣ５０の上面５０ａに押し付けられることとなるため、係止部３２の突出長を長くせずとも、ＦＰＣ／ＦＦＣ５０が係止部３２から外れることがない。また、アクチュエータ３０を閉位置方向に向けて付勢するためアクチュエータ３０が開いてしまう（開位置に移動してしまう）ことがない。特に、本実施の形態による当接部３３は、コンタクト２０の接点部２１と共にＦＰＣ／ＦＦＣ５０を挟持するため、係止部３２がＦＰＣ／ＦＦＣ５０の被係止部５４を係止した際のみではなく、アクチュエータ３０が閉位置にある際には常にＦＰＣ／ＦＦＣ５０の上面５０ａに当接するように構成されている。
【００３３】
図９及び図１０を参照すると、収容部３４は、ＸＺ平面と平行なスリット状に形成されている。この収容部３４は、図３及び図６に示されるように、コンタクト２０の上顎部２３を部分的に収容する。
【００３４】
図３、図６及び図１０に示されるように、リフトアップ部３５は、偏芯形状を有しており、各収容部３４内において収容部３４を構成する内壁同士をＹ方向において連結している。即ち、リフトアップ部３５は、収容部３４内に位置している。このリフトアップ部３５は、開位置から閉位置に向けてアクチュエータ３０を回動させる回動操作に応じて、収容部３４内にてコンタクト２０の上顎部２３をリフトアップする（図６参照）。リフトアップ部３５が上顎部２３をリフトアップすると、前述したように、下顎部２２に設けられた接点部２１を上方へ変位させる。
【００３５】
図６及び図１０に示されるように、包囲部３６は、アクチュエータ３０が閉位置にあるとき、アクチュエータ３０の後部を構成しており、ハウジング１０の後端上部を包囲する。その包囲により、コネクタ２０の被保持部２５の上部も保護・包囲される。
【００３６】
上述したような構成を備えるコネクタ１の挿入口４に対して、図３に示されるようにアクチュエータ３０が開位置にあるとき、ＦＰＣ／ＦＦＣ５０を挿入し、図４に示されるような状態とする。このとき、係止部３２はＦＰＣ／ＦＦＣ５０の凹部５３の上方に位置している。この状態において、アクチュエータ３０を閉位置に向けて回動すると、図６に示されるように、リフトアップ部３５によりコンタクト２０の上顎部２３が持ち上げられ、それによって接点部２１が上方へ変位させられる。これにより、ＦＰＣ／ＦＦＣ５０は、当接部３３と接点部２１との間に挟持されることとなり、接点部２１と接触部５２との電気的接続も図られる。この際、図７に示されるように、係止部３２は凹部５３内に位置することとなるため、前述したような抜け落ち防止が実現される。
【００３７】
以上、実施の形態を掲げて本発明について具体的に説明してきたが、本発明は、これに限定されるわけではない。
【００３８】
例えば、上述した実施の形態においては、当接部３３と接点部２１との間にＦＰＣ／ＦＦＣ５０を挟持することとしているため、アクチュエータ３０が閉位置にあるとき当接部３３はＦＰＣ／ＦＦＣ５０の上面５０ａに当接している。しかしながら、コンタクト２０以外のコンタクトや弾性体など、当接部３３以外の押付対象を設けることとしてもよく、その場合、当接部３３はアクチュエータ３０の好ましくない回動を防止する場合にＦＰＣ／ＦＦＣ５０に当接していればよく、アクチュエータ３３が閉位置にあるときにＦＰＣ／ＦＦＣ５０に必ず当接していなければならないわけではない。
【００３９】
また、上述したコネクタ１に接続可能なＦＰＣ／ＦＦＣ５０としては、左右両端に凹部５３を有するものであったが、例えば、図１２に示されるように、左右両端に凸部５５を有するＦＰＣ／ＦＦＣ５０′を接続対象としてもよい。この場合、凸部５５のエッジのうち縁部５１から遠いエッジが被係止部５６として機能する。
【符号の説明】
【００４０】
１        コネクタ
２        前端
３        後端
４        挿入口
１０        ハウジング
１０ａ      前端
１０ｂ      後端
１１        開口部
１２        受面
１３        逃げ穴
１４        保持部
１５        軸受部
２０        コンタクト
２１        接点部
２２        下顎部
２３        上顎部
２４        連結部
２５        被保持部
２６        固定端部
３０        アクチュエータ
３１        回転軸
３１ｃ      （回転軸の）中心
３２        係止部
３３        当接部
３４        収容部
３５        リフトアップ部
３６        包囲部
４０        ホールドダウン
５０，５０′        ＦＰＣ／ＦＦＣ（接続対象物）
５０ａ      上面
５０ｂ      下面
５１        縁部
５２        接触部
５３        凹部
５４        被係止部
５５        凸部
５６        被係止部
【図１】
0005391295.tif 000002
【図２】
0005391295.tif 000003
【図３】
0005391295.tif 000004
【図４】
0005391295.tif 000005
【図５】
0005391295.tif 000006
【図６】
0005391295.tif 000007
【図７】
0005391295.tif 000008
【図８】
0005391295.tif 000009
【図９】
0005391295.tif 000010
【図１０】
0005391295.tif 000011
【図１１】
0005391295.tif 000012
【図１２】
0005391295.tif 000013